【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
情報処理端末に、
ユーザが決済に利用可能な残高の情報を、ネットワークを介して接続される情報処理装置から受信し、受信した残高の情報を記憶部に記憶する処理と、
前記ユーザによる入力に応答して、前記記憶部に記憶されている残高の情報を含むコードを表示し、
表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示する処理と、
表示したコードを用いて代金が決済された後の残高の情報を前記情報処理装置から受信すると、前記記憶部に記憶されている残高の情報を、前記代金が決済された後の残高の情報で更新する処理と、を実行させるプログラム。
【請求項２】
情報処理端末に、
ユーザが決済に利用可能な残高の情報、認証用の情報、当該認証用の情報の有効期限、及び当該認証用の情報の利用可能回数の情報を、ネットワークを介して接続される情報処理装置から受信し、受信した各情報を記憶部に記憶する処理と、
当該認証用の情報の有効期限が経過している場合、及び当該認証用の情報の利用可能回数を超過している場合は、前記記憶部に記憶されている残高の情報と、当該認証用の情報とを含むコードを表示させず、
当該認証用の情報の有効期限が経過しておらず、かつ当該認証用の情報の利用可能回数を超過していない場合、前記ユーザによる入力に応答して、当該コードを表示する処理と、
表示したコードを用いて代金が決済された後の残高の情報を前記情報処理装置から受信すると、前記記憶部に記憶されている前記各情報を、前記代金が決済された後の残高の情報、認証用の情報、当該認証用の情報の有効期限、及び当該認証用の情報の利用可能回数の情報でそれぞれ更新する処理と、を実行させるプログラム。
【請求項３】
情報処理端末に、
ユーザが決済に利用可能な残高の情報と、複数の１回だけ利用可能な認証用の情報とを、ネットワークを介して接続される情報処理装置から受信し、受信した各情報を記憶部に記憶する処理と、
前記ユーザによる入力に応答して、前記記憶部に記憶されている残高の情報と、前記記憶部に記憶されている複数の１回だけ利用可能な認証用の情報のうち、未使用の１回だけ利用可能な認証用の情報とを含むコードを表示する処理と、
表示したコードを用いて代金が決済された後の残高の情報を前記情報処理装置から受信すると、前記記憶部に記憶されている前記各情報を、前記代金が決済された後の残高の情報と、複数の１回だけ利用可能な認証用の情報でそれぞれ更新する処理と、を実行させるプログラム。
【請求項４】
前記表示する処理は、
残高の情報を情報処理装置から受信してから所定期間内である場合、前記記憶部に記憶されている残高の情報を含むコードを表示し、
残高の情報を情報処理装置から受信してから前記所定期間内でない場合、前記情報処理装置から残高の情報を取得し、取得した残高の情報を含むコードを表示する、請求項１から３のいずれか一項に記載のプログラム。
【請求項５】
前記表示する処理は、
前記ネットワークの基地局との無線通信の電波状況が所定の条件を満たす場合、前記ユーザによる入力に応答して、前記情報処理装置から残高の情報を取得し、取得した残高の情報を含むコードを表示し、
前記所定の条件を満たさない場合、前記ユーザによる入力に応答して、前記情報処理装置との通信を行わずに、前記記憶部に記憶されている残高の情報を含むコードを表示する、請求項１から４のいずれか一項に記載のプログラム。
【請求項６】
前記ユーザの操作に応答して、表示したコードを識別する情報を含む要求であって、当該コードを用いた代金の決済を不可能とする要求を、前記情報処理装置に送信する処理を実行させる、請求項１から５のいずれか一項に記載のプログラム。
【請求項７】
前記ユーザが決済に利用可能な残高は、前記情報処理装置において前記ユーザが入金している金額と、前記ユーザが前記情報処理装置の事業者から借り入れ可能な金額とを含み、
前記表示する処理は、
前記ユーザが入金している金額が所定の閾値以下の場合、表示するコードを用いた決済により借り入れが生じる旨を示す情報を前記ユーザに出力する、請求項１から６のいずれか一項に記載のプログラム。
【請求項８】
第１の情報処理端末と、第２の情報処理端末と、情報処理装置と、がネットワークを介して接続される情報処理システムであって、
前記第１の情報処理端末に、
ユーザが決済に利用可能な残高の情報を、ネットワークを介して接続される情報処理装置から受信し、受信した残高の情報を記憶部に記憶する処理と、
前記ユーザによる入力に応答して、前記記憶部に記憶されている残高の情報を含むコードを表示し、
表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示する処理と、
表示したコードを用いて代金が決済された後の残高の情報を前記情報処理装置から受信すると、前記記憶部に記憶されている残高の情報を、前記代金が決済された後の残高の情報で更新する処理と、を実行させ、
前記第２の情報処理端末に、
代金の入力を受け付ける処理と、
前記第１の情報処理端末に表示されたコードから、前記第１の情報処理端末のユーザが決済に利用可能な残高の情報を読み取る処理と、
前記残高が前記代金以上の場合、前記ユーザに対して前記代金を決済させる要求を、ネットワークを介して接続される情報処理装置に送信し、前記残高が前記代金未満の場合、前記代金を決済できない旨を示す情報を出力する処理と、を実行させる情報処理システム。
【請求項９】
ネットワークを介して接続される情報処理装置から受信した、ユーザが決済に利用可能な残高の情報を記憶する記憶部と、
前記ユーザによる入力に応答して、前記記憶部に記憶されている残高の情報を含むコードを表示し、
表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示し、
表示したコードを用いて代金が決済された後の残高の情報を前記情報処理装置から受信すると、前記記憶部に記憶されている残高の情報を、前記代金が決済された後の残高の情報で更新する制御部と、を有する情報処理端末。
【請求項１０】
ネットワークを介して接続される情報処理装置から受信した、ユーザが決済に利用可能な残高の情報、認証用の情報、当該認証用の情報の有効期限、及び当該認証用の情報の利用可能回数の情報を記憶する記憶部と、
当該認証用の情報の有効期限が経過している場合、及び当該認証用の情報の利用可能回数を超過している場合は、前記記憶部に記憶されている残高の情報と、当該認証用の情報とを含むコードを表示させず、
当該認証用の情報の有効期限が経過しておらず、かつ当該認証用の情報の利用可能回数を超過していない場合、前記ユーザによる入力に応答して、当該コードを表示し、
表示したコードを用いて代金が決済された後の残高の情報を前記情報処理装置から受信すると、前記記憶部に記憶されている前記各情報を、前記代金が決済された後の残高の情報、認証用の情報、当該認証用の情報の有効期限、及び当該認証用の情報の利用可能回数の情報でそれぞれ更新する制御部と、を有する情報処理端末。
【請求項１１】
ネットワークを介して接続される情報処理装置から受信した、ユーザが決済に利用可能な残高の情報と、複数の１回だけ利用可能な認証用の情報とを記憶する記憶部と、
前記ユーザによる入力に応答して、前記記憶部に記憶されている残高の情報と、前記記憶部に記憶されている複数の１回だけ利用可能な認証用の情報のうち、未使用の１回だけ利用可能な認証用の情報とを含むコードを表示し、
表示したコードを用いて代金が決済された後の残高の情報を前記情報処理装置から受信すると、前記記憶部に記憶されている前記各情報を、前記代金が決済された後の残高の情報と、複数の１回だけ利用可能な認証用の情報でそれぞれ更新する制御部と、を有する情報処理端末。
【請求項１２】
第１の情報処理端末と、第２の情報処理端末と、情報処理装置と、がネットワークを介して接続される情報処理システムであって、
前記第１の情報処理端末は、
前記ネットワークを介して接続される情報処理装置から受信した、ユーザが決済に利用可能な残高の情報と、複数の１回だけ利用可能な認証用の情報とを記憶する記憶部と、
前記ユーザによる入力に応答して、前記記憶部に記憶されている残高の情報と、前記記憶部に記憶されている複数の１回だけ利用可能な認証用の情報のうち、未使用の１回だけ利用可能な認証用の情報とを含むコードを表示し、
表示したコードを用いて代金が決済された後の残高の情報を前記情報処理装置から受信すると、前記記憶部に記憶されている前記各情報を、前記代金が決済された後の残高の情報と、複数の１回だけ利用可能な認証用の情報でそれぞれ更新する制御部と、を有し、
前記第２の情報処理端末は、
代金の入力を受け付ける受付部と、
前記第１の情報処理端末に表示されたコードから、前記第１の情報処理端末のユーザが決済に利用可能な残高の情報を読み取り、
前記残高が前記代金以上の場合、前記ユーザに対して前記代金を決済させる要求を、ネットワークを介して接続される情報処理装置に送信し、前記残高が前記代金未満の場合、前記代金を決済できない旨を示す情報を出力する制御部と、を有する情報処理システム。
【請求項１３】
情報処理端末が、
ユーザが決済に利用可能な残高の情報を、ネットワークを介して接続される情報処理装置から受信し、受信した残高の情報を記憶部に記憶する処理と、
前記ユーザによる入力に応答して、前記記憶部に記憶されている残高の情報を含むコードを表示し、
表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示する処理と、
表示したコードを用いて代金が決済された後の残高の情報を前記情報処理装置から受信すると、前記記憶部に記憶されている残高の情報を、前記代金が決済された後の残高の情報で更新する処理と、を実行する情報処理方法。
【請求項１４】
情報処理端末が、
ユーザが決済に利用可能な残高の情報、認証用の情報、当該認証用の情報の有効期限、及び当該認証用の情報の利用可能回数の情報を、ネットワークを介して接続される情報処理装置から受信し、受信した各情報を記憶部に記憶する処理と、
当該認証用の情報の有効期限が経過している場合、及び当該認証用の情報の利用可能回数を超過している場合は、前記記憶部に記憶されている残高の情報と、当該認証用の情報とを含むコードを表示させず、
当該認証用の情報の有効期限が経過しておらず、かつ当該認証用の情報の利用可能回数を超過していない場合、前記ユーザによる入力に応答して、当該コードを表示する処理と、
表示したコードを用いて代金が決済された後の残高の情報を前記情報処理装置から受信すると、前記記憶部に記憶されている前記各情報を、前記代金が決済された後の残高の情報、認証用の情報、当該認証用の情報の有効期限、及び当該認証用の情報の利用可能回数の情報でそれぞれ更新する処理と、を実行する情報処理方法。
【請求項１５】
情報処理端末が、
ユーザが決済に利用可能な残高の情報と、複数の１回だけ利用可能な認証用の情報とを、ネットワークを介して接続される情報処理装置から受信し、受信した各情報を記憶部に記憶する処理と、
前記ユーザによる入力に応答して、前記記憶部に記憶されている残高の情報と、前記記憶部に記憶されている複数の１回だけ利用可能な認証用の情報のうち、未使用の１回だけ利用可能な認証用の情報とを含むコードを表示する処理と、
表示したコードを用いて代金が決済された後の残高の情報を前記情報処理装置から受信すると、前記記憶部に記憶されている前記各情報を、前記代金が決済された後の残高の情報と、複数の１回だけ利用可能な認証用の情報でそれぞれ更新する処理と、を実行する情報処理方法。
【請求項１６】
第１の情報処理端末と、第２の情報処理端末と、情報処理装置と、がネットワークを介して接続される情報処理システムが実行する情報処理方法であって、
前記第１の情報処理端末が、
ユーザが決済に利用可能な残高の情報を、ネットワークを介して接続される情報処理装置から受信し、受信した残高の情報を記憶部に記憶する処理と、
前記ユーザによる入力に応答して、前記記憶部に記憶されている残高の情報を含むコードを表示し、
表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示する処理と、
表示したコードを用いて代金が決済された後の残高の情報を前記情報処理装置から受信すると、前記記憶部に記憶されている残高の情報を、前記代金が決済された後の残高の情報で更新する処理と、を実行し、
前記第２の情報処理端末が、
代金の入力を受け付ける処理と、
前記第１の情報処理端末に表示されたコードから、前記第１の情報処理端末のユーザが決済に利用可能な残高の情報を読み取る処理と、
前記残高が前記代金以上の場合、前記ユーザに対して前記代金を決済させる要求を、ネットワークを介して接続される情報処理装置に送信し、前記残高が前記代金未満の場合、前記代金を決済できない旨を示す情報を出力する処理と、を実行する情報処理方法。
【手続補正２】
【補正対象書類名】明細書
【補正対象項目名】発明の名称
【補正方法】変更
【補正の内容】
【発明の名称】プログラム、情報処理端末、情報処理システム、及び情報処理方法
【手続補正３】
【補正対象書類名】明細書
【補正対象項目名】０００１
【補正方法】変更
【補正の内容】
【０００１】
本開示は、プログラム、情報処理端末、情報処理システム、及び情報処理方法に関する。
【手続補正４】
【補正対象書類名】明細書
【補正対象項目名】０００５
【補正方法】変更
【補正の内容】
【０００５】
本開示の一実施形態に係るプログラムは、情報処理端末に、ユーザが決済に利用可能な残高の情報を、ネットワークを介して接続される情報処理装置から受信し、受信した残高の情報を記憶部に記憶する処理と、前記ユーザによる入力に応答して、前記記憶部に記憶されている残高の情報を含むコードを表示し、表示したコードを用いて代金が決済された後の残高の情報を前記情報処理装置から受信する前の前記ユーザによる入力に応答して、前記情報処理装置との通信が行われていない間に当該コードが表示された回数、及び今回の決済により借り入れが発生する可能性があることを示すメッセージの少なくとも一方と、前記記憶部に記憶されている残高の情報を含むコードとを表示する処理と、表示したコードを用いて代金が決済された後の残高の情報を前記情報処理装置から受信すると、前記記憶部に記憶されている残高の情報を、前記代金が決済された後の残高の情報で更新する処理と、を実行させる。